(57)【要約】【課題】部屋用の設備を部屋に突出させることなく、かつ、設備のメンテナンスも容易となる建物を提供する。【解決手段】天井高が０．９〜１．４ｍの収納空間３の床３ａの下方に部屋１が設けられ、この部屋１用の設備５である照明または空調設備が収納空間３に設けられており、収納空間３の床３ａに設備５の機能を前記部屋１に導入するための開口部６が設けられているので、開口部６から下方の部屋２に導入でき、設備５が部屋１に突出するのを防止できる。また、収納空間３に入って設備５のメンテナンスを行えるので、メンテナンスが容易となる。さらに、設備５の上方に棚１２が設けられているので、棚５に物を設置することによって、設備５の上方の空間の有効利用を図れるとともに、設備５を棚１２によって保護できる。【選択図】図４
2008002266.tif 000002
【特許請求の範囲】
【請求項１】
天井高が０．９〜１．４ｍの収納空間を備え、この収納空間の床の下方に部屋が設けられた建物において、
前記部屋用の設備である照明または空調設備が前記収納空間に設けられており、前記収納空間の床に前記設備の機能を前記部屋に導入するための開口部が設けられており、
前記設備は収納空間の壁際に設けられており、前記開口部は前記壁際近傍の収納空間の床に設けられており、
前記収納空間には、前記設備の上方に棚が設けられていることを特徴とする建物。
【請求項２】
請求項１に記載の建物において、
空調設備である前記設備を覆うカバー部材が前記収納空間の床に取り外し可能に取り付けられており、
前記カバー部材には、換気口が設けられていることを特徴とする建物。
【請求項３】
請求項１に記載の建物において、
照明である前記設備を覆うカバー部材が前記収納空間の床に取り外し可能に取り付けられており、
前記カバー部材の少なくとも一部は透光性を有していることを特徴とする建物。
【発明の詳細な説明】
【技術分野】
【０００１】
本発明は、建物に係り、特に大型の収納空間を備えたものに関する。
【背景技術】
【０００２】
大型の収納室を備えた建物の一例として、特許文献１に記載のものが知られている。この建物では、１階と２階との間に収納室（収納空間）が設けられており、この収納室に隣接して居室が設けられている。この収納室の天井高は１．４ｍ程度であり、収納室への出入口は居室に面して設けられている。したがって、収納室へは居室から出入口を通って自由に出入りでき、また、収納室の天井高が１．４ｍ程度あるので、大人でも腰を屈めた状態で出入りできるとともに、収納室内での作業も比較的容易に行うことができる。
【特許文献１】特開２００４−１１３３６号公報
【発明の開示】
【発明が解決しようとする課題】
【０００３】
ところで、上記のような建物では、収納室の下方にも１階の部屋が設けられているが、この部屋用の照明や空調等の設備を何処に設けるかについては、前記特許文献１には記載されていない。部屋用の照明や空調等の設備は、通常その部屋の天井や壁に設けるのが一般的である。
したがって、上記のような建物でも、収納室の下方の部屋用の設備を、その部屋の天井や壁に設けると、この設備が部屋に突出してしまい、見映えがよくないばかりか、邪魔になる場合もある。
また、天井に設備を設けた場合、設備のメンテナンスをする際に、梯子や脚立が必要となったり、場合によっては天井裏に上る必要があり、非常に手間がかかる。
【０００４】
本発明は上記事情に鑑みてなされたものであり、部屋用の設備を部屋に突出させることなく、かつ、設備のメンテナンスも容易となる建物を提供することを課題としている。
【課題を解決するための手段】
【０００５】
上記課題を解決するために、請求項１に記載の発明は、例えば図１〜図５に示すように、天井高が０．９〜１．４ｍの収納空間３を備え、この収納空間３の床３ａの下方に部屋１が設けられた建物において、
前記部屋１用の設備５である照明または空調設備が前記収納空間３に設けられており、  前記収納空間３の床３ａに前記設備５の機能を前記部屋１に導入するための開口部６が設けられており、
前記設備５は収納空間３の壁際に設けられており、前記開口部６は前記壁際近傍の収納空間３の床３ａに設けられており、
前記収納空間３には、前記設備５の上方に棚１２が設けられていることを特徴とする。
【０００６】
ここで、「部屋１用の設備５である照明または空調設備が前記収納空間３に設けられ」とは、設備５の少なくとも一部が収納空間３に位置していればよく、例えば、設備のある一部が収納空間３に位置しており、他の一部が開口部に位置していてもよいことを意味する。したがって、例えば、設備５の表面が床面とほぼ面一であっても、この表面が収納空間に露出していればよい。
また、前記収納空間３への出入口は、該収納空間３を形成する壁に設けるのが望ましい。その場合、この出入口は、例えば、居室や、階段の踊り場等に面して設ける。これによって収納空間３に容易に出入りできる。
また、照明としては、直接照明または間接照明のいずれでもよい。また、空調設備としては、２４時間換気型の空調設備、冷暖房設備等が挙げられる。特に暖房設備は第２の部屋用のものとするのが望ましい。
【０００７】
請求項１に記載の発明によれば、設備５が収納空間３に設けられており、設備５の機能は収納空間３の床３ａに設けられた開口部６から下方の部屋２に導入できるので、設備５が部屋１に突出するのを防止できる。
また、収納空間３に入って設備５のメンテナンスを行えるので、メンテナンスが容易となる。
また、設備５が収納空間３の壁際に設けられているのでさほど邪魔にならない。
さらに、設備１５が空調設備である場合に、収納空間３の床３ａの下方に設けられた部屋１の壁に沿って空気が流れるので、空調を効果的に効かせることができる。設備５が照明である場合に、その光が部屋１の壁に反射して部屋に届くので、照明を間接照明として使用する場合に好適である。
【０００８】
請求項２に記載の発明は、例えば図２および図３に示すように、請求項１に記載の建物において、
空調設備である前記設備５を覆うカバー部材７が前記収納空間３の床３ａに取り外し可能に取り付けられており、
前記カバー部材７には、換気口７ａが設けられていることを特徴とする。
【０００９】
ここで、カバー部材７は、樹脂、属、合板等でボックス状に形成した比較的硬質なものが望ましいが、樹脂シートなどの比較的柔軟な素材で形成してもよい。カバー部材７をボックス状に形成すれば、その上を棚としても利用できる。
【００１０】
請求項２に記載の発明によれば、カバー部材７を取り付けることによって、設備５を保護できるとともに、収納空間３内の塵等が開口部６を通して下方の部屋１に侵入するのを防止できる。また、カバー部材７を取り外すことによって、設備５のメンテナンスや設備の取り替え等を容易に行うことができる。
さらに、カバー部材７に換気口７ａが設けられているので、設備５の空調機能を収納空間３にも導入できる。
【００１１】
請求項３に記載の発明は、例えば図３（ａ），（ｂ）に示すように、請求項１に記載の建物において、
照明である前記設備５を覆うカバー部材７が前記収納空間３の床３ａに取り外し可能に取り付けられており、
前記カバー部材７の少なくとも一部は透光性を有していることを特徴とする。
【００１２】
ここで、「カバー部材の少なくとも一部は透光性を有している」とは、カバー部材の少なくとも一部が透光性を有する素材で形成されているのは勿論のこと、カバー部材の一部に光を通すことが可能な開口部が形成されている場合も含む。
【００１３】
請求項３に記載の発明によれば、カバー部材７の少なくとも一部は透光性を有しているので、照明である設備５の光を収納空間３にも導入することができ、収納空間３を照らすことができる。
【発明の効果】
【００１４】
本発明によれば、天井高が０．９〜１．４ｍの収納空間の床の下方に設けられた部屋用の設備である照明または空調設備が該収納空間に設けられており、この収納空間の床に設備の機能を前記部屋に導入するための開口部が設けられているので、設備の機能はこの開口部から下方の部屋に導入できるので、設備が部屋に突出するのを防止できる。したがって、部屋の天井や壁面がスッキリとしたものとなる。
また、梯子や脚立等を使用することなく、収納空間に入って設備のメンテナンスを行えるので、メンテナンスが容易となる。
【発明を実施するための最良の形態】
【００１５】
以下、図面を参照して本発明の実施の形態について説明する。
図１は本発明に係る建物の概略構成を示す断面図である。この図に示す建物は、２階建ての建物であり、１階の部屋１と２階の第２の部屋２との間に収納空間３が設けられている。収納空間３の天井高は、０．９〜１．４ｍ程度に設定されており、この収納空間３に隣接して居室４が設けられている。この居室４の床４ａと、収納空間３の床３ａとは同レベルに位置しており、収納空間３への出入口は収納空間３と居室４とを仕切る壁に設けられており、さらに居室４に面している。したがって、収納空間３には、居室４から出入口を通って出入り可能となっている。なお、収納空間３の天井高は０．９〜１．４ｍ程度に設定されているので、大人が腰を屈めた状態で収納空間３に出入りできるとともに、収納空間３で作業できるようになっている。また、収納空間３に椅子等を載置すれば、大人が椅子に座って作業できるようになっている。
【００１６】
また、前記収納空間３には、１階の部屋１用の設備５が設けられている。すなわち、図２に示すように、収納空間３の床３ａの中央部には、開口部６が床３ａを貫通して形成されており、この開口部６に臨むようにして設備５が床３ａに設けられている。開口部６は設備５の機能を部屋１に導入するためのものであり、設備５の大きさに合わせて形成されている。
設備５は、例えば、照明設備や空調設備であり、設備５の周囲に設けられた支持部５ａを開口部６周囲の床３ａに設置することによって、開口部６に臨むようにして設備５が床３ａに設けられている。
また、収納空間３の床３ａには、設備５を覆うカバー部材７が取り外し可能に取り付けられている。このカバー部材７は、樹脂等によってボックス状に形成されたもので、比較的硬質なものとなっている。また、カバー部材７は設備５とともに、開口部６を覆うようになっている。カバー部材７を床３ａに取り外し可能に取り付けるには、例えば、床面３ａにリング状の受け材を開口部６を囲むようにして固定しておき、この受け部に前記カバー部材７を取り外し可能となるように嵌め込めばよい。
【００１７】
ここで、設備５が照明設備である場合、図３（ａ）に示すように、照明ランプ５ｂを支持部５ｃによって開口部６に臨ませた状態で、床３ａに支持させる。支持部５ｂは照明ランプ５ｂが取り付けられる取付部から放射状に延びるようにして複数形成されたものである。また、カバー部材７は、その全体が透明または半透明の透光性を有する樹脂によってボックス状に形成されたものである。
したがって、照明ランプから照射される光は開口部６を通して、直接照明として下の部屋１を照らすが、光の一部は透光性を有するカバー部材７を通して、収納空間３にも導入されて、該収納空間３を照らすことができる。
【００１８】
また、設備５が間接照明である場合、図３（ｂ）に示すように、開口部６の周囲の床面上に、照明ランプ５ｄを設置すればよい。この場合、照明ランプ５ｄから照射される光は開口部６の内周面等を反射して、下の部屋１を間接的に照らす。また、光の一部は透光性を有するカバー部材７を通して、収納空間３にも導入されて、該収納空間３を照らすことができる。
【００１９】
さらに、設備５が空調設備である場合、図３（ｃ）に示すように、空調設備５を支持部５ａによって開口部６に臨ませた状態で、床３ａに支持させる。支持部５ｂは空調設備５の周囲に形成されたリング状のものである。また、カバー部材７は、樹脂や金属によってボックス状に形成されたものであり、その側面には換気口７ａが複数形成されている。この換気口７ａには図示は省略するが、ガラリが設けられている。
したがって、空調設備５から供給される空気は開口部６を通して下の部屋１に導入されるが、空気の一部はカバー部材７の換気口７ａを通して、収納空間３にも導入することができる。
【００２０】
また、設備５が床３ａから突出しない照明設備の場合、図３（ｄ）に示すように、開口部６の内周面に内側に突出する突出部６ａを形成しておき、この突出部６ａに照明設備５の枠５ｅを設置すればよい。枠５ｅの内部には、照明ランプ５ｆが設けられている。また、枠５ｅの上部開口部には蓋５ｇが取り付けられており、下部開口部にはカバー５ｈが取り付けられている。蓋５ｆおよびカバー５ｇは、それぞれ透明または半透明の透光性を有する樹脂によって形成されている。また、蓋５ｇの上面は床３ａの床面とほぼ面一になっており、カバー５ｈは床３ａの下面より若干下方に位置している。
このような照明設備５では、照明ランプ５ｆから照射される光は開口部６を通して、直接照明として下の部屋１を照らすが、光の一部は透光性を有する蓋５ｇを通して、収納空間３にも導入されて、該収納空間３を照らすことができる。
【００２１】
本実施の形態によれば、天井高が０．９〜１．４ｍの収納空間３の床３の下方に設けられた部屋１用の設備５が該収納空間３に設けられており、この収納空間３の床３ａに設備５の機能を部屋１に導入するための開口部６が設けられているので、設備５の機能はこの開口部６から下方の部屋１に導入できるので、設備５が部屋１に突出するのを防止できる。したがって、部屋１の天井や壁面がスッキリとしたものとなる。
また、梯子や脚立等を使用することなく、収納空間３に入って設備のメンテナンスや交換作業を行えるので、それらの作業が容易となる。
また、カバー部材７を取り付けることによって、設備５を保護できるとともに、収納空間３内の塵等が開口部６を通して下方の部屋１に侵入するのを防止できる。また、カバー部材７を取り外すことによって、設備５のメンテナンスや取り替え等を容易に行うことができる。
【００２２】
また図４に示すように、１階の部屋１と２階の第２の部屋２との間に収納空間３が設けられている。
そして、収納空間３の床３ａの壁際に設備５，５がそれぞれ設けられている。すなわち、収納空間３の壁際に位置する床３ａには、開口部１０，１０が床３ａを貫通して形成されており、この開口部１０に臨むよにして設備５が床３ａに設けられている。開口部１０は設備５の機能を部屋１に導入するためのものであり、設備５の大きさに合わせて形成されている。
設備５，５は空調設備であり、例えば一方の空調設備５が吹き出し側となっており、他方の空調設備５は吸い込み側となるような２４時間換気型の空調設備である。また、空調設備５には、図５に示すように、ダクト５ｅが接続されており、このダクト５ｅから空調設備５に新鮮な空気が送り込まれ、一方、部屋１内の使用済みの空気が送り出されるようになっている。
【００２３】
また、収納空間３の床３ａには、設備５を覆うカバー部材１１が取り外し可能に取り付けられている。このカバー部材１１は、樹脂や金属等によってボックス状に形成されたもので、比較的硬質なものとなっている。また、カバー部材１１は設備５やダクト５ｅとともに、開口部１０を覆うようになっている。
また、カバー部材１１の側面には、図示しない換気口が複数形成されている。この換気口にはガラリが設けられている。
したがって、空調設備５から供給される空気は開口部１０を通して下の部屋１に導入されるが、空気の一部はカバー部材１１の換気口を通して、収納空間３にも導入することができる。
【００２４】
前記カバー部材１１の上方には、棚１２が設けられている。この棚１２はカバー部材１１の長手方向に沿って延在するものであり、カバー部材１１の上面と、棚１２の上面とで２段の収納棚を構成している。
【００２５】
また、収納空間３には、図４に示すように、第２の部屋２の床２ａの裏面側の壁際に設備１５，１５がそれぞれ設けられている。すなわち、収納空間３の壁際に位置する床２ａには、開口部１６，１６が床２ａを貫通して形成されており、この開口部１６に臨むよにして設備１５が床２ａの裏面側に設けられている。開口部１６は設備１５の機能を上の第２の部屋２に導入するためのものであり、設備１５の大きさに合わせて形成されている。
また、床２ａの裏面には、設備１５を覆うカバー部材１１が取り外し可能に取り付けられている。このカバー部材１１は、樹脂や金属等によってボックス状に形成されたもので、比較的硬質なものとなっている。また、カバー部材１１は設備１５とともに、開口部１０を覆うようになっている。
また、カバー部材１１の側面には、図示しない換気口が複数形成されている。この換気口にはガラリが設けられている。
したがって、空調設備１５から供給される空気は開口部１６を通して２の部屋２に導入されるが、空気の一部はカバー部材１１の換気口を通して、収納空間３にも導入することができる。なお、設備１５，１５は上記設備５，５と同様に２４時間換気型の空調設備で
あるが、床２ａの壁際から上方に空気を吹き出すので、特に暖房用の空調設備とするのが望ましい。
【００２６】
本実施の形態によれば、設備５，１５が収納空間３の壁際に設けられているのでさほど邪魔にならないという効果を得ることができる。
また、設備５，１５が空調設備であるので、収納空間３の床３ａの下方に設けられた部屋１や収納空間３の上に設けられた第２の部屋２の壁に沿って空気が流れるので、空調を効果的に効かせることができる。
【００２７】
なお、本実施の形態では、設備５，１５を空調設備としたが、設備５，１５は照明設備であってもよい。この場合、照明設備の光が部屋１または第２の部屋２の壁に反射して部屋１，２に届くので、照明設備を間接照明として使用する場合に好適である。
【図面の簡単な説明】
【００２８】
【図１】本発明に係る建物の一例を示すもので、その概略構成を示す断面図である。
【図２】同、建物の要部の断面図である。
【図３】同、収納空間の床に設備を設けた状態を示す断面図である。
【図４】本発明に係る建物の一例を示すもので、建物の要部の断面図である。
【図５】同、収納空間の要部を示す斜視図である。
【符号の説明】
【００２９】
１ 部屋
３ 収納空間
３ａ 収納空間の床
５，１５ 設備
６，１０，１６ 開口部
７，１１ カバー部材
７ａ 換気口
【図１】
2008002266.tif 000003
【図２】
2008002266.tif 000004
【図３】
2008002266.tif 000005
【図４】
2008002266.tif 000006
【図５】
2008002266.tif 000007